(57)【要約】【課題】  特に装置形状を変更可能な携帯型電子装置において、セキュリティ機能を維持しつつ、電子財布機能のロック解除を簡単かつスピーディに行えるようにする。【解決手段】  第１，第２の筐体１，２がヒンジ部６により開閉状態をとり得る携帯電話端末であり、当該携帯電話端末は、少なくとも当該端末が閉状態であるときには、電子財布機能がロックされている場合において、「Ｆ」キー１１，照明キー１２，カメラキー１３のサイドキーを認証登録順に押下操作することで、電子財布ロックを一時的に解除可能となっている。一方、当該端末が開状態であるときには、第１の筐体２上に設けられているテンキー等を用いた暗証番号入力により、電子財布ロックを解除可能となされている。【選択図】  図２
2006229730.tif 000002
【特許請求の範囲】
【請求項１】
第１，第２の少なくとも二つの筐体と、
上記第１の筐体と第２の筐体を連結し且つ第１の筐体と第２の筐体の相対的な配置状態を第１，第２の少なくとも二つの配置状態に変更可能な連結手段と、
上記第１，第２の何れかの筐体上に設けられ、上記第１，第２の筐体の相対的な配置状態が少なくとも第１の配置状態である時に、使用者が操作可能な第１の操作手段と、
上記第１，第２の何れかの筐体上に設けられ、上記第１，第２の筐体の相対的な配置状態が第２の配置状態である時にのみ、使用者による操作が可能となる第２の操作手段と、
所定機能を停止状態にロックするための機能ロック手段と、
上記機能ロック手段により上記所定機能が停止状態にロックされている場合において、上記第１の操作手段からの所定操作により上記所定機能の停止状態が一時的に解除可能となる第１のロック解除モード、又は、上記第２の操作手段からの所定操作により上記所定機能の停止状態が完全に解除可能となる第２のロック解除モードに動作モードを制御し、上記配置状態が少なくとも上記第１の配置状態であるときには、上記第１のロック解除モードに動作モードを制御する動作モード制御手段とを有する
ことを特徴とする携帯型電子装置。
【請求項２】
請求項１記載の携帯型電子装置であって、
上記連結手段による上記第１の筐体と第２の筐体の相対的な配置状態を検出する配置状態検出手段を備え、
上記機能ロック手段により上記所定機能が停止状態にロックされている場合において、上記動作モード制御手段は、上記配置状態検出手段が上記第１の配置状態を検出している時には、上記第１の操作手段からの所定操作により上記第１のロック解除モードに動作モードを制御し、上記配置状態検出手段が上記第２の配置状態を検出している時には、上記第２の操作手段からの所定操作により上記第２のロック解除モードに当該装置の動作モードを制御することを特徴とする携帯型電子装置。
【請求項３】
請求項１又は請求項２記載の携帯型電子装置であって、
上記第１のロック解除モード時に上記第１の操作手段からの所定操作により上記所定機能の停止状態が解除された場合、上記機能ロック手段は、上記所定機能の停止状態が解除された後所定時間が経過した時、上記所定機能を停止状態に再ロックすることを特徴とする携帯型電子装置。
【請求項４】
請求項１又は請求項２記載の携帯型電子装置であって、
上記第１のロック解除モード時に上記第１の操作手段からの操作による上記所定機能の停止状態の解除操作が一定時間内に所定回数失敗した時、上記動作モード制御手段は、当該装置の動作モードを上記第２のロック解除モードに固定することを特徴とする携帯型電子装置。
【請求項５】
請求項１又は請求項２記載の携帯型電子装置であって、
少なくとも無線による信号を受信する無線通信手段を有し、
上記機能ロック手段は、上記無線通信手段が受信したロック指示信号に応じて、上記所定機能を停止状態にロックすることを特徴とする携帯型電子装置。
【請求項６】
請求項１又は請求項２記載の携帯型電子装置であって、
利用者からの指示に応じて、上記動作モード制御手段による上記第１のロック解除モードと第２のロック解除モードの制御を、有効又は無効に設定登録するための有効／無効設定登録手段を有することを特徴とする携帯型電子装置。
【請求項７】
請求項１又は請求項２記載の携帯型電子装置であって、
上記第１のロック解除モード時に上記所定機能の停止状態を一時的に解除するための上記第１の操作手段による所定操作と、上記第２のロック解除モード時に上記所定機能の停止状態を完全に解除するための上記第２の操作手段による所定操作とを設定登録するための操作設定登録手段を有することを特徴とする携帯型電子装置。
【請求項８】
第１，第２の少なくとも二つの筐体と、上記第１の筐体と第２の筐体を連結し且つ第１の筐体と第２の筐体の相対的な配置状態を第１，第２の少なくとも二つの配置状態に変更可能な連結手段と、上記第１，第２の何れかの筐体上に設けられ上記第１，第２の筐体の相対的な配置状態が少なくとも第１の配置状態である時に使用者が操作可能な第１の操作手段と、上記第１，第２の何れかの筐体上に設けられ上記第１，第２の筐体の相対的な配置状態が第２の配置状態である時にのみ使用者による操作が可能となる第２の操作手段とを有する解体型電子装置の機能制御方法であって、
所定機能を機能ロック手段が停止状態にロックするステップと、
上記機能ロック手段により上記所定機能が停止状態にロックされている場合において、動作モード制御手段が、上記第１の操作手段からの所定操作により上記所定機能の停止状態が一時的に解除可能となる第１のロック解除モード、又は、上記第２の操作手段からの所定操作により上記所定機能の停止状態が完全に解除可能となる第２のロック解除モードに動作モードを制御し、上記配置状態が少なくとも上記第１の配置状態であるときには、上記第１のロック解除モードに動作モードを制御するステップとを有する
ことを特徴とする携帯型電子装置の機能制御方法。
【請求項９】
第１，第２の少なくとも二つの筐体と、上記第１の筐体と第２の筐体を連結し且つ第１の筐体と第２の筐体の相対的な配置状態を第１，第２の少なくとも二つの配置状態に変更可能な連結手段と、上記第１，第２の何れかの筐体上に設けられ上記第１，第２の筐体の相対的な配置状態が少なくとも第１の配置状態である時に使用者が操作可能な第１の操作手段と、上記第１，第２の何れかの筐体上に設けられ上記第１，第２の筐体の相対的な配置状態が第２の配置状態である時にのみ使用者による操作が可能となる第２の操作手段とを有する解体型電子装置の機能制御プログラムであって、
所定機能を停止状態にロックするための機能ロック手段と、
上記機能ロック手段により上記所定機能が停止状態にロックされている場合において、上記第１の操作手段からの所定操作により上記所定機能の停止状態が一時的に解除可能となる第１のロック解除モード、又は、上記第２の操作手段からの所定操作により上記所定機能の停止状態が完全に解除可能となる第２のロック解除モードに動作モードを制御し、上記配置状態が少なくとも上記第１の配置状態であるときには、上記第１のロック解除モードに動作モードを制御する動作モード制御手段として、
携帯型電子装置を機能させることを特徴とする機能制御プログラム。
【発明の詳細な説明】
【技術分野】
【０００１】
本発明は、例えば携帯電話端末やＰＤＡ（Personal Digital Assistant）等のような携帯型電子装置とその機能を制御するための機能制御方法及びプログラムに関する。
【背景技術】
【０００２】
近年は、例えば入出金や決済機能などを備えたＩＣカード（いわゆる電子財布）を使用して、商品の購入時の代金支払いや電車利用時の運賃支払い等を行う電子現金取引が実用化されている。特に最近は、近接距離での無線通信が可能な非接触型のＩＣカードを用いた電子財布機能を搭載した携帯電話端末等の携帯型電子装置が普及しつつある。
【０００３】
ここで、上述した電子財布機能を搭載している携帯型電子装置が外出先等で置き忘れられたり、盗まれたりした場合、当該携帯型電子装置の電子財布が不正に使用されてしまう虞がある。このように、電子財布が不正に使用されると、その携帯型電子装置のユーザは金銭的な損害を被ることになる。このようなことから、従来より、上記電子財布機能を搭載している携帯型電子装置には、電子財布を使用できない状態にロックする機能が搭載されている。
【０００４】
また、当該電子財布機能を搭載している従来の携帯型電子装置において、電子財布をロックするためには、一般に、階層化されたメニューの中から電子財布ロックに関するメニューへ移行し、そのメニューにて電子財布のロック設定を行うようになされている。すなわち一例として、先ず当該装置に搭載されているディスプレイ上にメインメニュー画面を表示させ、そのメインメニューに含まれる複数のメニュー項目の中から、機能の設定に関するメニュー項目を選択し、次に、そのメニュー内に含まれる複数のメニュー項目の中から、プライバシーに関するメニュー項目を選択し、次に、そのメニュー内に含まれる複数のメニュー項目の中からアクセス制限に関するメニュー項目を選択し、さらに、そのメニュー内に含まれる複数のメニュー項目の中から、電子財布ロックを設定するためのメニュー項目を選択し、その後に、当該メニュー内で電子財布ロックをオンに設定するような操作が行われる。なお、電子財布ロックのための初期設定の際には、電子財布ロックを解除するための暗証番号の登録も行われる。
【０００５】
一方、電子財布がロックされている場合、そのロックを解除する際にも、上述の電子財布をロックする場合と同様に、階層化されたメニューの中から電子財布ロックに関するメニューへ移行し、そのメニューにて電子財布のロック解除を行うようになされている。すなわち一例として、先ずディスプレイ上にメインメニュー画面を表示させ、そのメインメニューに含まれる複数のメニュー項目の中から、機能の設定に関するメニュー項目を選択し、次に、そのメニュー内に含まれる複数のメニュー項目の中から、プライバシーに関するメニュー項目を選択し、次に、そのメニュー内に含まれる複数のメニュー項目の中からアクセス制限に関するメニュー項目を選択し、さらに、そのメニュー内に含まれる複数のメニュー項目の中から、電子財布ロックを解除するためのメニュー項目を選択する。そして、当該電子財布ロックを解除するためのメニューでは、暗証番号の入力が求められ、正しい暗証番号の入力がなされた場合にのみ電子財布ロックが解除される。
【０００６】
なお、特開昭６２−１１３５４号の公開特許公報（特許文献１）には、ロックコードを予めメモリに登録して置き、ロック状態になされた後には、そのロックコードの入力がなされない限り、ロック状態を解除しないようになされた自動車電話システムの機能ロック方法が開示されている。
【０００７】
また、特開平１１−３５５４３２号の公開特許公報（特許文献２）には、機能キー、オフフックキー、オンフックキー又は特定のダイヤルキーを操作することにより、ダイヤルロックの解除又は一時解除を可能とした、移動体通信端末のダイヤルロック解除方法が開示されている。
【０００８】
【特許文献１】特開昭６２−１１３５４号公報（第１図）
【特許文献２】特開平１１−３５５４３２号公報（第１図）
【発明の開示】
【発明が解決しようとする課題】
【０００９】
ところで、上述した携帯型電子装置の一例である携帯電話端末には様々なタイプのものがあり、その一つとして、例えば、装置筐体が第１，第２の少なくとも二つの筐体に分けられ、それら第１，第２の筐体がヒンジ等により連結されていると共に、当該ヒンジを介して第１，第２の筐体が折り重なるように二つ折り可能となされたいわゆる折り畳み型の携帯電話端末がある。なお、上記二つの筐体のうち一方の筐体には、液晶パネル等のディスプレイが設けられ、他方の筐体の上面（折り畳んだ際に第１の筐体のディスプレイ面と対向する面）には、テンキーや発話キー、終話／電源キー、メニュー操作デバイス等が設けられる。
【００１０】
このような折り畳み型の携帯電話端末に上述の電子財布機能を搭載した場合において、例えば電子財布機能のロック及びその解除の際には、前述したような電子財布ロック及びその解除のための一連の操作の前に、先ず当該折り畳み型の携帯電話端末を開く操作を行わなければならなくなる。すなわち、当該折り畳み型の携帯電話端末における電子財布ロック及びその解除操作は、上述したメニュー階層を順に辿っていく元々煩雑な操作に、更に端末を開く操作が加わり、非常に手間がかかる面倒な操作となっている。
【００１１】
特に、例えば駅の自動改札機や店舗に電子財布の決済システムが導入されているような場合において、上記電子財布機能を搭載している携帯電話端末を用いて自動改札機を通過したり店舗にて買い物をする際に、当該電子財布機能のロック解除操作に手間取ったりすると、自動改札機付近で利用者の流れが滞ってしまったり、店舗での代金精算がスムーズに行えずにレジ付近で混雑が発生してしまうことになる。
【００１２】
このようなことから、携帯電話端末に電子財布ロック機能が搭載されているのにもかかわらず電子財布ロックを行わず、セキュリティの面から好ましくない状態で端末を使用しているユーザも多い。
【００１３】
本発明は、このような実情に鑑みて提案されたものであり、特に折り畳み型の携帯電話端末のように装置形状を変更可能な携帯型電子装置において、セキュリティ機能を維持しつつ、電子財布機能のロック解除を簡単かつスピーディに行うことを可能にする携帯型電子装置、携帯型電子装置の機能制御方法及びプログラムを提供することを目的とする。
【課題を解決するための手段】
【００１４】
本発明の携帯型電子装置は、第１，第２の少なくとも二つの筐体と、第１，第２の筐体を連結し且つ第１，第２の筐体の相対的な配置状態を第１，第２の少なくとも二つの配置状態に変更可能な連結手段と、第１，第２の何れかの筐体上に設けられ第１，第２の筐体の相対的な配置状態が少なくとも第１の配置状態である時に使用者が操作可能な第１の操作手段と、第１，第２の何れかの筐体上に設けられ第１，第２の筐体の相対的な配置状態が第２の配置状態である時にのみ使用者による操作が可能となる第２の操作手段と、所定機能を停止状態にロックするための機能ロック手段と、機能ロック手段により所定機能が停止状態にロックされている場合において、第１の操作手段からの所定操作により所定機能の停止状態が一時的に解除可能となる第１のロック解除モード、又は、第２の操作手段からの所定操作により所定機能の停止状態が完全に解除可能となる第２のロック解除モードに動作モードを制御し、配置状態が少なくとも第１の配置状態であるときには第１のロック解除モードに動作モードを制御する動作モード制御手段とを有することにより、上述した課題を解決する。
【００１５】
また、本発明の携帯型電子装置の機能制御方法は、第１，第２の少なくとも二つの筐体と、第１，第２の筐体を連結し且つ第１，第２の筐体の相対的な配置状態を第１，第２の少なくとも二つの配置状態に変更可能な連結手段と、第１，第２の何れかの筐体上に設けられ第１，第２の筐体の相対的な配置状態が少なくとも第１の配置状態である時に使用者が操作可能な第１の操作手段と、第１，第２の何れかの筐体上に設けられ第１，第２の筐体の相対的な配置状態が第２の配置状態である時にのみ使用者による操作が可能となる第２の操作手段とを有する解体型電子装置の機能制御方法であって、所定機能を機能ロック手段が停止状態にロックするステップと、機能ロック手段により所定機能が停止状態にロックされている場合において、動作モード制御手段が、第１の操作手段からの所定操作により所定機能の停止状態が一時的に解除可能となる第１のロック解除モード、又は、第２の操作手段からの所定操作により所定機能の停止状態が完全に解除可能となる第２のロック解除モードに動作モードを制御し、配置状態が少なくとも第１の配置状態であるときには、第１のロック解除モードに動作モードを制御するステップとを有することにより、上述した課題を解決する。
【００１６】
また、本発明の携帯型電子装置の機能制御プログラムは、第１，第２の少なくとも二つの筐体と、第１，第２の筐体を連結し且つ第１，第２の筐体の相対的な配置状態を第１，第２の少なくとも二つの配置状態に変更可能な連結手段と、第１，第２の何れかの筐体上に設けられ第１，第２の筐体の相対的な配置状態が少なくとも第１の配置状態である時に使用者が操作可能な第１の操作手段と、第１，第２の何れかの筐体上に設けられ第１，第２の筐体の相対的な配置状態が第２の配置状態である時にのみ使用者による操作が可能となる第２の操作手段とを有する解体型電子装置の機能制御プログラムであって、所定機能を停止状態にロックするための機能ロック手段と、機能ロック手段により所定機能が停止状態にロックされている場合において、第１の操作手段からの所定操作により所定機能の停止状態が一時的に解除可能となる第１のロック解除モード、又は、第２の操作手段からの所定操作により所定機能の停止状態が完全に解除可能となる第２のロック解除モードに動作モードを制御し、配置状態が少なくとも第１の配置状態であるときには、第１のロック解除モードに動作モードを制御する動作モード制御手段として、携帯型電子装置を機能させることにより、上述した課題を解決する。
【００１７】
すなわち、本発明は、例えば折り畳み型の携帯電話端末のように二つの筐体の配置状態を変更可能な携帯型電子装置に適用可能であり、例えば電子財布機能等の所定機能を停止状態にロックしている場合において、第１，第２の筐体の配置状態に応じて、ロック解除のモードを切り替え可能となされている。また、本発明の携帯電話端末は、第１，第２の操作手段を備えており、第２の操作手段は第１，第２の筐体の相対的な配置状態が第２の配置状態である時にのみ使用者による操作が可能となされ、一方、第１の操作手段は第１，第２の筐体の相対的な配置状態が第１の配置状態である時に操作可能となされている。そして、本発明では、第１，第２の筐体の相対的な配置状態が少なくとも第１の配置状態である時には、第１のロック解除モードに動作モードを制御することで、第１の操作手段からの所定操作により停止状態の所定機能を一時的に解除可能とし、ロック解除を簡略化している。
【発明の効果】
【００１８】
本発明においては、所定機能が停止状態にロックされている場合、第１，第２の筐体の配置状態に応じたロック解除モードに動作モードが設定されるようになされており、第１，第２の筐体の相対的な配置状態が少なくとも第１の配置状態である時には、第１のロック解除モードに動作モードを制御することで、第１の操作手段からの所定操作により停止状態の所定機能を一時的に解除可能となり、例えば折り畳み型の携帯電話端末のように二つの筐体の配置状態を変更可能な携帯型電子装置において、セキュリティ機能を維持しつつ、電子財布機能等の所定機能のロック解除を簡単かつスピーディに行うことが可能になっている。
【発明を実施するための最良の形態】
【００１９】
以下、図面を参照しながら、本発明の携帯型電子装置の一実施形態として、いわゆる折り畳み型の携帯電話端末を例に挙げて説明する。なお、本実施形態では、折り畳み型の携帯電話端末を例に挙げているが、勿論、ここで説明する内容はあくまで一例であり、本発明はこの例に限定されないことは言うまでもない。
【００２０】
〔携帯電話端末の概略的な外観構成〕
図１，図２には、本発明実施形態の携帯電話端末の外観構成例を示す。本実施の形態の携帯電話端末は、例えば第１の筐体１と第２の筐体２を有し、ヒンジ部（連結手段）６を介して第１の筐体１と第２の筐体２が折り重なるように二つ折り可能になされた、いわゆる折り畳み式の携帯電話端末である。すなわち本実施形態の携帯端末は第１の筐体１と第２の筐体がヒンジ部６により連結され、そのヒンジ部６を介して各筐体間の位置関係を変更可能となされた端末である。なお、図１は、開いた状態（以下、開状態と呼ぶ）の携帯電話端末を正面側から見た概略外観図を示し、図２は、閉じた状態（以下、閉状態と呼ぶ）の携帯電話端末を側面側から見た概略外観図を示している。
【００２１】
図１に示すように、第１の筐体１には、例えば液晶デバイスにより構成されたメイン液晶ディスプレイ３や、受話用のスピーカ５等が備えられている。なお、図示は省略しているが、第１の筐体１の背面側（メイン液晶ディスプレイ３側に対して背面側）には、液晶デバイスにより構成されたサブ液晶ディスプレイや、カメラ部、当該カメラ部にて撮影する際の撮影補助光を発光する撮影補助ライト等が備えられている。
【００２２】
一方、第２の筐体２には、携帯電話端末の主要な回路部が内蔵されている。この第２の筐体２の上面（折り畳んだ際に第１の筐体１のメイン液晶ディスプレイ３側と対向する面）には、電話番号や文字等を入力するためのキーボタンであるテンキー（１２キー）４や、発話キー、クリアキー、終話／電源キーなどの各キー、メニュー操作等の際に押下される決定ボタン９と当該ボタン９の上下左右に設けられた指示キー１０とを有する十字キーデバイス８と、送話用のマイクロホン７等が設けられている。
【００２３】
また、図２に示すように、第２の筐体２の一方の側面部には、例えば、主に電子財布の残高をサブ液晶ディスプレイ上に表示させる際に長押しされる「Ｆ」キー１１や、サブ液晶ディスプレイのバックライトを点灯させる際に押下される照明キー１２、カメラ部を起動させる際に押下されるカメラキー１３等が設けられている。以下、「Ｆ」キー１１，照明キー１２，カメラキー１３を、適宜、サイドキーと呼ぶことにする。また、第２の筐体２の側面壁には、それら各サイドキーをユーザが例えば手探りで見つけ易く且つ押下操作し易くするための「座繰り」１４が設けられている。なお、上記各サイドキーの配置位置は一例であり、例えば「Ｆ」キー１１が第１の筐体２の側面部に設けられていても良い。
【００２４】
本実施形態の携帯電話端末が通常備えているその他の構成の図示及びその説明については省略する。
【００２５】
〔電子財布ロック機能と一時的なロック解除機能〕
ここで、本実施形態の携帯電話端末は、電子財布機能と、当該電子財布機能のロック及びその解除機能を搭載している。
【００２６】
また、本実施形態の携帯電話端末は、上記第２の筐体２の側面部に設けられているサイドキーを用いて電子財布ロックを一時的に解除することができる機能を備えている。以下、上記電子財布ロックの一時的解除を、通常の電子財布ロックの解除と区別するために、特に、クイックロック解除と呼ぶことにする。このクイックロック解除機能は、特に、本実施形態の携帯電話端末が少なくとも閉状態である時に使用可能な機能となされている。すなわち、本実施形態の携帯電話端末は、電子財布機能がロックされ且つクイックロック解除機能の設定がオンになされていると同時に当該携帯電話端末が少なくとも閉状態となされている場合において、上記「Ｆ」キー１１が短押しされることでクイックロック解除モードに移行し、次いで、各サイドキーが予めユーザにより登録された順番で押下された時に、クイックロック解除機能が実行されて上記電子財布ロックを一時的に解除するようになされている。なお、本実施形態の携帯電話端末は、開状態であるときにも、電子財布機能がロックされ且つクイックロック解除機能の設定がオンになされている場合には、上記「Ｆ」キー１１が短押しされることでクイックロック解除モードに移行し、次いで、各サイドキーが予めユーザにより登録された順番で押下された時に、クイックロック解除機能が実行されて上記電子財布ロックを一時的に解除するようになされているが、以下の説明では、携帯電話端末が閉状態である時のクイックロック解除モードを中心に述べている。
【００２７】
〔電子財布ロック設定及びクイックロック解除設定の説明〕
以下、図３〜図１１に示すメイン液晶ディスプレイ３の表示画面例を用い、本実施形態の携帯電話端末において上記電子財布ロック機能の設定及びクイックロック解除機能の設定を行う際の流れを説明する。
【００２８】
本実施形態において、電子財布ロック機能の設定のためのメニューは、階層化されたメニューの中で、例えばアクセス制限に関するメニュー項目の一つとして用意されている。アクセス制限に関するメニューとしては、図３に示すように、例えば「オートロック」と「電子財布ロック」のメニュー項目が用意されている。
【００２９】
ここで、第２の筐体２の十字キーデバイス８を介したユーザ操作により、上記「電子財布ロック」のメニュー項目がカーソル等により選択され、さらにその状態で図３の画面下部に用意されている「選択」のソフトキーに対応したキー（例えば第２の筐体２上の決定ボタン９）が押下されると、本実施形態の携帯電話端末は、当該「電子財布ロック」設定メニューの処理に移行する。
【００３０】
上記「電子財布ロック」の設定メニューの処理に移行すると、本実施形態携帯電話端末は、図４に示すように、電子財布ロックの設定及び解除に使用される暗証番号の入力をユーザに求めるための暗証番号入力画面をメイン液晶ディスプレイ３上に表示する。この暗証番号入力画面において、ユーザが例えばテンキー４を操作して所望の暗証番号を入力すると、本実施形態の携帯電話端末は、図５に示すように、電子財布ロックの設定とクイックロック解除の設定を行うためのメニュー画面をメイン液晶ディスプレイ３上に表示する。当該電子財布ロックの設定とクイックロック解除の設定を行うためのメニュー画面には、電子財布ロックの設定をＯＮ／ＯＦＦするための「設定」のメニュー項目と、クイックロック解除の設定をＯＮ／ＯＦＦするための「クイックロック解除」のメニュー項目が用意されている。そして、当該図５のメニュー画面において、十字キーデバイス８を介したユーザ操作により、上記「設定」のメニュー項目がカーソル等により選択され、さらにその状態で図５の画面下部に用意されている「選択」のソフトキーに対応した決定ボタン９が押下されると、本実施形態の携帯電話端末は、電子財布ロックをＯＮに設定する。このように電子財布ロックがＯＮに設定されると、本実施形態の携帯電話端末は、図６に示すように電子財布ロックの設定がＯＮとなされたことを表示する。
【００３１】
次に、当該図６のメニュー画面において、十字キーデバイス８を介したユーザ操作により、上記「クイックロック解除」のメニュー項目がカーソル等により選択され、さらにその状態で図６の画面下部に用意されている「選択」のソフトキーに対応した決定ボタン９が押下されると、本実施形態の携帯電話端末は、図７に示すように、クイックロック解除機能についての説明文とそのクイックロック解除機能をＯＮ／ＯＦＦ設定するメニュー項目とからなる設定画面を、メイン液晶ディスプレイ３上に表示する。
【００３２】
次に、当該図７のメニュー画面において、十字キーデバイス８を介したユーザ操作により、上記「クイックロック解除」の「ＯＮ」メニュー項目がカーソル等により選択され、さらにその状態で図７の画面下部に用意されている「選択」のソフトキーに対応した決定ボタン９が押下されると、本実施形態の携帯電話端末は、図８，図９に示すように、クイックロック解除の設定方法についての説明文とその具体的な操作例とからなる設定画面を、メイン液晶ディスプレイ３上に表示する。すなわち、本実施形態において、上記クイックロック解除の設定は、「Ｆ」キー１１の短押しによるクイックロック解除モードへの移行後、各サイドキーをユーザ所望の順番で押下することにより行われるため、当該メイン液晶ディスプレイ３には、その旨を記述した説明文と具体的なサイドキーの押下例とが表示される。
【００３３】
次に、本実施形態の携帯電話端末は、図１０に示すように、ユーザに対して、クイックロック解除の設定登録のために、サイドキーを所望の順番で押下することを求めるための設定画面を、メイン液晶ディスプレイ３上に表示する。なお、図１０には、ユーザにより、照明キー１２，「Ｆ」キー１１，カメラキー１３，「Ｆ」キー１１の順番がクイックロック解除用の認証キー入力順として登録されたときの例を示している。
【００３４】
次に、十字キーデバイス８を介したユーザ操作により、当該図１０の画面下部に用意されている「ＯＫ」のソフトキーに対応した決定ボタン９が押下されると、本実施形態の携帯電話端末は、図１１に示すように、クイックロック解除のための設定が完了したことをユーザに通知するための通知画面を、メイン液晶ディスプレイ３上に表示する。
【００３５】
その後、十字キーデバイス８を介したユーザ操作により、当該図１１の画面下部に用意されている「ＯＫ」のソフトキーに対応した決定ボタン９が押下されると、本実施形態の携帯電話端末は、上述したクイックロック解除の設定処理を終了する。
【００３６】
以上のようにしてクイックロック解除の設定登録がなされている場合において、例えば、電子財布機能がロックされ且つクイックロック解除機能の設定がオンになされていると同時に当該携帯電話端末が閉状態となされている時に、ユーザにより、上記「Ｆ」キー１１が短押しされてクイックロック解除モードに移行し、次いで、照明キー１２，「Ｆ」キー１１，カメラキー１３，「Ｆ」キー１１の順番にサイドキーが押下操作されると、本実施形態の携帯電話端末は、上記電子財布ロックを一時的に解除することになる。
【００３７】
〔携帯電話端末の内部回路構成〕
次に、図１２には、本発明実施形態の携帯電話端末の概略的な内部構成を示す。
【００３８】
アンテナ３１は、例えば内蔵アンテナであり通話やパケット通信のための信号電波の送受信を行う。通信回路３０は、送受信信号の周波数変換、変調と復調等を行う。なお、パケット通信により送受信されるデータは、画像データや電子メール、プログラムデータ、その他の各種データである。
【００３９】
受信された通話音声のデータは、データラインを介して制御部３２へ送られる。制御部３２は、ＣＰＵ（中央処理装置）からなり、通話音声データを復号化し、その復号化後の音声データをデータラインを介してスピーカ４０へ送る。
【００４０】
スピーカ４０は、前述した受話用のスピーカ５やリンガ用のスピーカに相当し、ディジタル／アナログ変換器と増幅器を含み、通話音声やリンガ音のデータをディジタル／アナログ変換及び増幅した後、出力する。これにより、通話音声やリンガ音が得られることになる。
【００４１】
マイクロホン４１は、送話用のマイクロホン７に対応し、アナログ／ディジタル変換器と増幅器を含む。このマイクロホン４１を介して入力された通話音声信号は、増幅器により所定のレベルに増幅された後、アナログ／ディジタル変換器によりディジタル音声データに変換され、データラインを介して制御部３２へ送られて符号化された後、通信回路３０へ送られる。
【００４２】
表示部３３は、第１の筐体１のメイン液晶ディスプレイ３やサブ液晶ディスプレイと、それら液晶ディスプレイに画像等を表示させるディスプレイ制御回路とからなる。
【００４３】
操作部３４は、第２の筐体２の操作部に対応し、テンキー４や発話キー、クリアキー、終話／電源キーなどの各キー、十字キーデバイス８等と、「Ｆ」キー１１，照明キー１２，カメラキー１３のサイドキー３５と、それらの操作に応じた操作信号を発生する操作信号発生部とを有している。
【００４４】
メモリ３６は、ＲＯＭ（Read Only Memory）とＲＡＭ（Random Access Memory）を含む。ＲＯＭは、制御部３２が各部を制御するための制御プログラムや各種の初期設定値、フォントデータ、辞書データ、本実施形態における電子財布機能やそのロック機能、クイックロック解除機能等の処理を実行するためのプログラムコード、電子メールの作成や編集等を行うためのアプリケーション用プログラムコード、画像に対して様々な処理を行うためのアプリケーション用プログラムコード、その他、携帯電話端末に搭載される各種のアプリケーション用のプログラムコード、当該携帯電話端末の識別情報（ＩＤ）などを記憶している。このＲＯＭは、ＥＥＰＲＯＭ（Electrically Erasable Programmable Read-Only Memory）のような書き換え可能なＲＯＭを含み、電子メールデータ、ユーザにより設定される電話帳や電子メールアドレス、カメラ部等により撮影された写真画像データ、ダウンロードされた写真データや着信音データ、文字データや予測変換の候補単語の登録データや予測変換の学習データ、本実施形態における電子財布ロックの解除用の暗証番号やクイックロック解除のための認証キー入力順等の情報、その他、各種のユーザ設定値等を保存することも可能となされている。ＲＡＭは、制御部３２が各種のデータ処理を行う際の作業領域として、随時データを格納する。
【００４５】
開閉検知部４２は、本実施形態の携帯電話端末の現在の状態が図１に示したような開状態であるのか、或いは、図２に示したような折り畳まれた閉状態であるのかを検知可能な例えばスイッチセンサ等を備えている。
【００４６】
電子財布部４３は、非接触型のＩＣカードにより構成されている。当該電子財布部４３は、近接通信用のアンテナ５３を介して例えば駅の自動改札機や店舗のレジ等に備えられている電子財布リーダ／ライタとの間で無線による情報通信を行うための近距離通信回路５２と、近距離通信回路５２の動作制御を行うと共に前記制御部３２との間で情報通信を行う電子財布制御部５１と、図示しないメモリとを有している。なお、非接触型のＩＣカードは、携帯電話端末に内蔵されていても良く、また、着脱可能な外部ＩＣカードでも良い。外部ＩＣカードである場合、当該携帯電話端末は、外部ＩＣカードスロットを備え、そのＩＣカードスロットに上記非接触ＩＣカードが挿入されることになる。
【００４７】
制御部３２は、上述した通話音声データの符号化や復号化の他、制御ラインを介して当該携帯電話端末の各構成要素の制御等、各種の演算処理を行う。また、本実施形態の場合、制御部３２は、メモリ３６に記憶されているプログラムコードと電子財布用の暗証番号やクイックロック解除の認証キー入力順の情報に基づいて、本実施形態における電子財布機能やそのロック機能、クイックロック解除機能等の処理を実行する。
【００４８】
その他、図１２には図示を省略しているが、本実施形態の携帯電話端末は、各部に電力を供給する電源回路や、音楽や画像の記録再生を行うための記録再生部、ブラウザ機能、外部ケーブル用コネクタ、外部リモートコントローラの接続コネクタ、携帯電話端末の現在位置を検出するための測位デバイスであるＧＰＳ（Global Positioning System）通信部とそのアンテナ、カメラ部の撮像素子と画像処理回路などを備えている。
【００４９】
〔電子財布ロック、クイックロック解除の設定に応じたモード遷移のフローチャート〕
次に、図１３には、本実施形態の携帯電話端末における電子財布ロックやクイックロック解除のＯＮ／ＯＦＦ設定と開閉状態に応じたモード遷移の流れを示す。なお、この図１３のフローチャートの処理は、主に、制御部３２がメモリ３６に記憶されているプログラムコードに基づいて行う処理である。
【００５０】
この図１３において、制御部３２は、電源投入後、ステップＳ１の処理として、メモリ３６の設定情報を見ることにより、電子財布ロックがＯＮに設定されているか否か判定する。そして、制御部３２は、このステップＳ１において、電子財布ロックの設定がＯＦＦ（Ｎｏ）となされていると判定した時には、ステップＳ２の処理として当該携帯電話端末の電子財布機能を常に使用可能なモードにする。
【００５１】
上記ステップＳ１において電子財布ロックの設定がＯＮ（Ｙｅｓ）になされていると判定した時には、制御部３２は、ステップＳ３の処理として、メモリ３６の設定情報を見ることによりクイックロック解除がＯＮに設定されているか否か判定する。制御部３２は、当該ステップＳ３にて、クイックロック解除の設定がＯＦＦ（Ｎｏ）となされていると判定した時には、ステップＳ５の処理として、当該携帯電話端末を通常の電子財布ロックモードにする。
【００５２】
また、上記ステップＳ３においてクイックロック解除の設定がＯＮ（Ｙｅｓ）になされていると判定した時、制御部３２は、ステップＳ４の処理として、開閉検知部４２からの信号に基づいて、当該携帯電話端末が開状態であるか閉状態であるかを判定する。そして、制御部３２は、当該端末が開状態であると判定した時（Ｎｏ）には、ステップＳ５の処理として、当該携帯電話端末を通常の電子財布ロックモードにする。
【００５３】
なお、当該ステップＳ５の電子財布ロックモードとなっている時、制御部３２は、例えば前述の十字キーデバイス８等の操作によりメニュー選択がなされ、アクセス制限に関するメニューの中から「電子財布ロック」のメニューが選択され、次に、テンキー４の操作により暗証番号の入力がなされた後、更に、「設定」のメニュー項目で電子財布ロックの設定をＯＦＦする選択がなされた時に、上記電子財布ロックを解除するように各部を制御する。
【００５４】
一方、ステップＳ４において当該端末が閉状態であると判定した時（Ｙｅｓ）、制御部３２は、ステップＳ６の処理として、当該携帯電話端末をクイックロック解除設定済みモードにする。
【００５５】
〔クイックロック解除設定済みモード時のフローチャート〕
図１４には、本実施形態の携帯電話端末が上記クイックロック解除設定済みモードとなされている時の動作を示す。なお、この図１４のフローチャートの処理は、主に、制御部３２がメモリ３６に記憶されているプログラムコードに基づいて行う処理である。
【００５６】
この図１４において、本実施形態の携帯電話端末がクイックロック解除設定済みモードとなっているとき、制御部３２は、ステップＳ１１の処理として、操作部３４のサイドキー３５からの操作信号を観察しており、サイドキーの「Ｆ」キーが短押しされたか否か判定している。当該ステップＳ１１において、「Ｆ」キーの短押しがなされたと判定した時、制御部３２は、ステップＳ１２へ処理を進める。
【００５７】
ステップＳ１２の処理に進むと、制御部３２は、内部のタイマーをスタートさせて時間の計測を開始する。すなわちこのタイマーによる時間計測は、上記クイックロック解除設定済みモードにおいて「Ｆ」キーが短押しされることでクイック解除モードに移行した後、クイックロック解除のためのサイドキー押下による認証キー入力の受け付け可能な期間を計測するために行われる。なお、本実施形態において、「Ｆ」キー短押しによるクイック解除モード移行後、クイックロック解除の認証キー入力の受け付け可能な時間は、例えば５秒間とする。
【００５８】
上記ステップＳ１２のタイマースタート後、制御部３２は、ステップＳ１３の処理として、クイックロック解除のためのサイドキー押下による認証キー入力に誤りがあった場合の再試行可能回数をカウントするためのリトライカウンタの値ｎが１以上（ｎ≧１）、つまりクイックロック解除のためのサイドキー押下による認証キー入力の再試行可能回数がゼロになっていないか判定する。なお、本実施形態においてｎの初期値は例えば３となされている。そして、制御部３２は、当該ステップＳ１３にてｎ≧１であると判定した場合にはステップＳ１４へ処理を進め、一方、当該ステップＳ１３にてｎ＝０であると判定した場合にはステップＳ２０へ処理を進める。
【００５９】
ステップＳ１４の処理に進んだ場合、制御部３２は、サイドキー３５からの入力を受け付け、更に、ステップＳ１５にて、上記ステップＳ１２で計測している時間が、クイックロック解除のためのサイドキー押下による認証キー入力の受け付け可能な時間を過ぎたか（タイムアップしたか）否か判定し、タイムアップしていない場合にはステップＳ１６へ処理を進め、タイムアップした時にはステップＳ１１の前へ処理を戻す。
【００６０】
ステップＳ１６の処理に進むと、制御部３２は、サイドキー３５から入力されたキーの並び順と、メモリ３６に登録されている認証キー入力順と比較し、それらが一致しないときにはステップＳ２１へ処理を進め、それらが一致したときにはステップＳ１７へ処理を進める。
【００６１】
ステップＳ１７の処理に進むと、制御部３２は、電子財布ロックを一時的に解除するクイックロック解除処理を行い、次いで、ステップＳ１８の処理として、内部のタイマーをスタートさせて時間の計測を開始する。このステップＳ１８の処理でのタイマーによる時間計測は、電子財布ロックが一時的に解除されている時間を計測するために行われる。なお、本実施形態において、クイックロック解除処理により電子財布ロックが一時的に解除される時間は、例えば３０秒間とする。そして、制御部３２は、ステップＳ１８における上記電子財布ロックの一時的な解除時間が経過すると、ステップＳ１９の処理として、電子財布をロックし、クイックロック解除設定済みモードへ戻る。
【００６２】
一方、ステップＳ１６にて、サイドキー３５から入力されたキーの並び順と認証キー入力順とが一致しないと判定してステップＳ２１の処理に進んだ場合、制御部３２は、リトライカウンタの値ｎが１以上（ｎ≧１）、つまり上記クイックロック解除のためのサイドキー押下による認証キー入力の再試行可能回数がゼロになっていないか判定する。そして、制御部３２は、ステップＳ２１にてｎ≧１であると判定した場合には、ステップＳ２２の処理としてリトライカウンタの値ｎを１デクリメント（つまり再試行可能回数を一つ減算）してステップＳ１１へ処理を戻し、一方、ステップＳ２１にてｎ＝０であると判定した場合にはステップＳ２０へ処理を進める。
【００６３】
ステップＳ２０の処理に進んだ場合、つまり、上記クイックロック解除のためのサイドキー押下による認証キー入力誤り回数が上記再試行可能回数を越えた場合、制御部３２は、クイックロック解除機能を停止（ロック）させる。そして、制御部３２は、クイックロック解除機能が停止状態であること、及び、電子財布を使用するためには通常の電子財布ロックの解除手法をとらなければならないことを表すメッセージを、例えばサブ液晶ディスプレイ上に表示させる。
【００６４】
〔まとめ〕
以上説明したように、本実施形態の携帯電話端末によれば、電子財布機能がロックされ且つクイックロック解除機能の設定がオンになされていると同時に当該端末が閉状態となされている場合において、「Ｆ」キー１１の短押しによりクイックロック解除モードへ移行し、所定時間以内（例えば５秒以内）にサイドキーから正しい順序で認証キー入力が行われた時に、一時的（３０秒間）に電子財布ロックの解除が行われるようになされているため、セキュリティ機能の維持と電子財布のロックの簡単かつスピーディな解除を両立させることが可能である。すなわち本実施形態の携帯電話端末によれば、折り畳み型の携帯電話端末を開くことなく、サイドキーの操作のみで電子財布のロックを解除できるため、必要な時に即座に電子財布を使用することが可能となり、また、電子財布の使用後は一定時間経過すると自動的にロックされるためセキュリティ機能を維持することができる。また、本実施形態の携帯電話端末においては、クイックロック解除のための認証キー入力を所定回数（例えば３回）間違えた場合には、通常の電子財布ロックモードに移行するようになされているため、例えば第三者による電子財布の不正使用から当該携帯電話端末を有効に保護することが可能となっている。さらに、本実施形態の携帯電話端末は、「Ｆ」キーが何らかの外力により間違って押下されたとしても、所定時間以内（例えば５秒以内）にサイドキーからクイックロック解除のための認証キー入力が行われない限り、クイックロック解除設定済みモードに自動復帰する機能を備えているため、誤って通常の電子財布ロックモードに移行してしまうようなことがない。
【００６５】
また、本発明実施形態の携帯電話端末は、開状態のときには通常の電子財布ロックモードとなされ、閉状態のときには上述したクイックロック解除設定済みモードとなされるため、例えば図１５に示すように、電子財布ロックモードによる高いセキュリティ性能と、クイックロック解除設定済みモードによるセキュリティ性能を維持した状態でのスピーディな電子財布のロック解除とを両立させることが可能となっている。すなわち、図１５に示すように、本実施形態の携帯電話端末は、端末が開状態のときの電子財布ロックモードでは例えば４桁の暗証番号入力による１００００通りの電子財布ロック解除パターンを設定できるため高いセキュリティ性能を実現することができ、一方、端末が閉状態のときのクイックロック解除設定済みモードではサイドキーの０〜４回の認証キー入力による８１通りの電子財布ロック解除パターンを設定できるため、或る程度（中程度）のセキュリティ性を確保しつつスピーディな電子財布のロック解除を実現可能となっている。また、本実施形態の携帯電話端末は、開状態の場合においても、暗証番号入力より電子財布ロックを完全に解除する電子財布ロックモードだけでなく、クイックロック解除設定済みモードにも動作モードを設定可能となされているため、当該端末が開状態であってもスピーディな電子財布のロック解除を行うことが可能となっている。なお、図１５には、参考のため、電子財布ロックを行っていないときのセキュリティ性（低いセキュリティ）も記載している。
【００６６】
なお、上述した実施形態の説明は、本発明の一例である。このため、本発明は上述した各実施形態に限定されることなく、本発明に係る技術的思想を逸脱しない範囲であれば、設計等に応じて種々の変更が可能であることはもちろんである。
【００６７】
上述した実施形態では、折り畳み型の携帯電話端末を例に挙げたが、本発明は、例えば、表示部を備えた第１の筐体と複数のキー操作部を備えた第２の筐体とが、上記表示部若しくはキー操作部の設けられた表面（主面）に対して略々垂直となされた回転軸を備えたヒンジ機構を介して、相互に水平方向に回動自在となされた端末（回転オープン型の端末）において、少なくとも第１の筐体と第２の筐体が重なった状態（端末を閉じた状態）のときに、上述したクイックロック解除設定済みモードとするような場合にも適用可能である。また、本発明は、表示部を備えた第１の筐体とその表示部の表示面と同一方向となる表面上にキー操作部を備えた第２の筐体とが、互いに水平方向に直線的にスライド可能となされたスライド型の携帯電話端末において、少なくとも第１の筐体と第２の筐体が重なった状態（端末を閉じた状態）のときに、上述したクイックロック解除設定済みモードとするような場合にも適用可能である。
【００６８】
また、本実施形態の携帯電話端末は、例えば携帯電話回線網などを介して外部から供給されたロック指示信号に応じて上述した電子財布ロック機能やクイックロック機能を遠隔操作することも可能となされている。なお、当該遠隔操作では、電子財布ロック機能とクイックロック機能を同時若しくは個別に制御可能である。
【００６９】
さらに、上述した実施形態では、携帯電話端末を例を挙げたが、本発明は例えばＰＤＡやディジタルカメラ等の各種の携帯型電子装置にも適用可能である。
【００７０】
また、本発明は、電子財布に関するロックやクイックロックに限定されず、その他の各種の機能に関するロックやクイックロックにも適用可能である。
【図面の簡単な説明】
【００７１】
【図１】本実施形態の折り畳み型携帯電話端末を開いた状態で正面側から観た概略外観図である。
【図２】本実施形態の折り畳み型携帯電話端末を閉じた状態で側面側から観た概略外観図である。
【図３】アクセス制限メニュー画面の表示例を示す図である。
【図４】電子財布ロックのための暗証番号入力画面の表示例を示す図である。
【図５】電子財布ロックの設定及びクイックロック解除の設定のためのメニュー画面の表示例を示す図である。
【図６】電子財布ロックの設定及びクイックロック解除の設定において電子財布ロックがＯＮに設定された状態のメニュー画面の表示例を示す図である。
【図７】クイックロック解除の設定に関する説明文の表示例を示す図である。
【図８】クイックロック解除の設定方法に関する説明文の表示例を示す図である。
【図９】クイックロック解除の設定方法の具体例に関する説明文の表示例を示す図である。
【図１０】クイックロック解除の設定時の表示例を示す図である。
【図１１】クイックロック解除の設定完了時の表示例を示す図である。
【図１２】本実施形態の携帯電話端末の概略的な内部構成を示すブロック図である。
【図１３】本実施形態の携帯電話端末における電子財布ロックやクイックロック解除のＯＮ／ＯＦＦ設定と開閉状態に応じたモード遷移の流れを示すフローチャートである。
【図１４】本実施形態の携帯電話端末がクイックロック解除設定済みモードとなされている時の動作を示すフローチャートである。
【図１５】本実施形態の携帯電話端末における電子財布ロックとクイックロック解除時の解除パターン数とセキュリティ性能の説明に用いる図である。
【符号の説明】
【００７２】
１  第１の筐体、２  第２の筐体、３  メイン液晶ディスプレイ、４  テンキー、５，４０  スピーカ、６  ヒンジ部、７，４１  マイクロホン、８  十字キーデバイス、９  決定ボタン、１０  指示キー、１１  「Ｆ」キー、１２  照明キー、１３  カメラキー、１４  座繰り、３０  通信回路、３１  通信アンテナ、３２  制御部、３３  表示部、３４  操作部、３５  サイドキー、３６  メモリ、４２  開閉検知部、４３  電子財布部、５１  電子財布制御部、５２  近距離通信回路、５３  近距離通信用のアンテナ
【図１】
2006229730.tif 000003
【図２】
2006229730.tif 000004
【図３】
2006229730.tif 000005
【図４】
2006229730.tif 000006
【図５】
2006229730.tif 000007
【図６】
2006229730.tif 000008
【図７】
2006229730.tif 000009
【図８】
2006229730.tif 000010
【図９】
2006229730.tif 000011
【図１０】
2006229730.tif 000012
【図１１】
2006229730.tif 000013
【図１２】
2006229730.tif 000014
【図１３】
2006229730.tif 000015
【図１４】
2006229730.tif 000016
【図１５】
2006229730.tif 000017